(57)【要約】      （修正有）【課題】ノズルが保持されている消火栓扉を開閉してもノズルが回転しない程度にノズルを保持できる消火栓装置のノズルホルダを提供する。【解決手段】消火栓装置のノズルホルダは、消火栓装置内に設けられて消火ノズルを保持する保持片３１からなるノズルホルダであって、保持片３１は、合成樹脂の平板に消火ノズルの外形に沿うように形成されたノズル収容穴３７と、ノズル収容穴３７に消火ノズルを通過させるための切欠き部３９と、ノズル収容穴３７の穴縁３７ａにノズル収容穴３７の内方側に出っ張るように形成されて収容された消火ノズルの回転を防止する回転防止部４１とを備える。【選択図】図１
0003201334.tif 000002
【実用新案登録請求の範囲】
【請求項１】
消火栓装置内に設けられて消火ノズルを保持する保持片からなるノズルホルダであって、
前記保持片は、合成樹脂の平板に前記消火ノズルの外形に沿うように形成されたノズル収容穴と、該ノズル収容穴に前記消火ノズルを通過させるための切欠き部と、前記ノズル収容穴の穴縁に前記ノズル収容穴の内方側に出っ張るように形成されて収容された前記消火ノズルの回転を防止する回転防止部とを備えたことを特徴とする消火栓装置のノズルホルダ。
【請求項２】
前記回転防止部は、湾曲する穴縁の２点を結ぶように形成された直線部を備えた壁部であることを特徴とする請求項１記載の消火栓装置のノズルホルダ。
【請求項３】
前記保持片は、前記切欠き部の向きが横向きになるように前記消火栓装置内に取り付けられており、前記消火ノズルがその先端側が上方を向くように保持されることを特徴とする請求項１又は２に記載の消火栓装置のノズルホルダ。
【請求項４】
前記保持片が所定の間隔を離して、少なくとも２個設けられていることを特徴とする請求項１乃至３のいずれか一項に記載の消火栓装置のノズルホルダ。
【考案の詳細な説明】
【技術分野】
【０００１】
本考案は、トンネル監査路等に設置される消火栓装置に関し、特に消火栓装置内に配置される消火ノズルを保持する消火栓装置のノズルホルダに関する。
【背景技術】
【０００２】
消火栓装置のノズルホルダとして、例えば特許文献１には「消火栓装置のノズルホルダが合成樹脂製の平板状の基台であって、該基台の先端から後端に向かうノズル収容穴を形成し、該ノズル収容穴の穴径を、保持しようとするノズルの径よりわずかに小さく形成するとともにノズル収容穴を構成する上側ノズル押え部の肉厚を、下側ノズル押え部の肉厚より薄く形成されていることを特徴とする消火栓装置のノズルホルダ。」（請求項１参照）が開示されている。
【０００３】
特許文献１のノズルホルダにおいて、ノズルをノズルホルダに保持させる際には、上側ノズル押え部と下側ノズル押え部の隙間からノズルをノズル収容穴に押し込むことで、上側ノズル押え部及び下側ノズル押え部が変形し、前記隙間をノズルが通過後にノズルがノズル収容穴にはまるようになっている。
この状態では、ノズルは上側ノズル押え部及び下側ノズル押え部から押えられることで、保持状態が維持される。
また、ノズルを取り外す際には、上記と同様にノズルを持って、前記隙間側に引き出すようにすることで、上側ノズル押え部及び下側ノズル押え部が変形して、ノズルを取り外すことができる。
【先行技術文献】
【特許文献】
【０００４】
【特許文献１】実用新案登録第２５４１６２１号公報
【考案の概要】
【考案が解決しようとする課題】
【０００５】
上記のように構成された従来のノズルホルダの場合、ノズル収容穴の穴径の精度が十分でない場合や、あるいは経年変化によってノズルホルダの形状が僅かに変形したような場合には、ノズル保持力が不十分となり、車両が通行する際の振動や消火栓扉を開閉した際にノズルが回転してしまうことがあった。そして、ノズルが回転すると、以下に示すような問題が生ずる。
【０００６】
ノズルホルダに保持されるノズルには、その片面に「ノズル」の表示が設けられており、ノズルは消火栓扉を閉止した状態で前記表示が正面に位置して、消火栓扉の窓部から視認できる状態で保持されている。
しかしながら、ノズルが回転すると、消火栓扉の窓部から「ノズル」の文字が見えなくなってしまう。
【０００７】
また、ノズルには放水筒から突出したハンドルが設けられており、ノズルは消火栓扉を開放した状態でハンドルを把持し易く、それによりノズルを取り外し易くしている。
しかしながら、保持力が弱いと、振動によりノズルが回転したり、消火栓扉を開放した状態で、ハンドルの重さでノズルが回転したりして、ハンドルが奥側や下側に位置してしまい、ハンドルを把持しにくくなり、ひいてはノズルを取り外し難くなる。
【０００８】
このように、ノズルホルダによる保持力が弱いと種々の問題が生ずる。しかし、保持力を強くしすぎると、ノズルを取り外し難くなり、問題となる。
【０００９】
本考案は、ノズルが保持されている消火栓扉を開閉してもノズルが回転しない程度にノズルを保持できる消火栓装置のノズルホルダを提供することを目的としている。
【課題を解決するための手段】
【００１０】
（１）本考案に係る消火栓装置のノズルホルダは、消火栓装置内に設けられて消火ノズルを保持する保持片からなるノズルホルダであって、
前記保持片は、合成樹脂の平板に前記消火ノズルの外形に沿うように形成されたノズル収容穴と、該ノズル収容穴に前記消火ノズルを通過させるための切欠き部と、前記ノズル収容穴の穴縁に前記ノズル収容穴の内方側に出っ張るように形成されて収容された前記消火ノズルの回転を防止する回転防止部とを備えたことを特徴とするものである。
【００１１】
（２）また、上記（１）に記載のものにおいて、前記回転防止部は、湾曲する穴縁の２点を結ぶように形成された直線部を備えた壁部であることを特徴とするものである。
【００１２】
（３）また、上記（１）又は（２）に記載のものにおいて、前記保持片は、前記切欠き部の向きが横向きになるように前記消火栓装置内に取り付けられており、前記消火ノズルがその先端側が上方を向くように保持されることを特徴とするものである。
【００１３】
（４）また、上記（１）乃至（３）のいずれかに記載のものにおいて、前記保持片が所定の間隔を離して、少なくとも２個設けられていることを特徴とするものである。
【考案の効果】
【００１４】
本考案の消火栓装置のノズルホルダは、これを構成する保持片が、合成樹脂の平板に前記消火ノズルの外形に沿うように形成されたノズル収容穴と、該ノズル収容穴に前記消火ノズルを通過させるための切欠き部と、前記ノズル収容穴の穴縁に前記ノズル収容穴の内方側に出っ張るように形成されて収容された前記消火ノズルの回転を防止する回転防止部とを備えたことにより、経年変化による消火ノズルの回転や、ノズルホルダを取り付けている扉の開閉動作によっても消火ノズルが回転することがない。
このため、例えばノズルホルダを前傾式扉の背面側に取り付けた場合、前傾式扉を閉止した状態では、消火ノズルに記載された「ノズル」の文字を常に視認することができ、消火活動の際に前傾式扉を開放してもハンドルの向きが適切な向き（上向き）を維持するため、ハンドルを把持して消火ノズルを取り外し易く、消火活動を円滑に行うことができる。
【図面の簡単な説明】
【００１５】
【図１】実施の形態に係る消火栓装置のノズルホルダの説明図である。
【図２】消火栓装置のノズルホルダが設けられる消火栓装置の説明図であって、前傾式扉を閉止した状態を示している。
【図３】消火栓装置のノズルホルダが設けられる消火栓装置の説明図であって、前傾式扉を開放した状態を示している。
【考案を実施するための形態】
【００１６】
本実施の形態に係るノズルホルダの詳細を説明する前に、ノズルホルダが設けられる消火栓装置１の構成について概説する。
【００１７】
＜消火栓装置＞
消火栓装置１は、図２、３に示すように、箱状の本体３と、本体３の前面に設けられた開口部５ａを有する前面パネル５と、前面パネル５の開口部５ａに開閉可能に設けられた消火栓扉に相当する前傾式扉７とを備えている。
なお、消火栓装置１は、トンネル内の監査路等、トンネルの壁面付近に設けられるが、設置状態で車道側を前面、トンネルの壁面側を背面と表記する。
【００１８】
本体３は、図２、３に示すように、矩形の箱状からなる筺体を有し、筺体内には内巻きに巻き回されたホース１３を収納するホース収納部１５及びホース収納部１５に収納されたホース１３を引き出すための中央開口部１７が設けられている。また、筐体内には、ホース収納部１５の右側に、消火栓弁や自動調圧弁を有する配管系統１９が設けられている。配管系統１９は、先端側がホース１３の基端側と接続されるとともに、基端側が図示しない給水源に接続されている。
【００１９】
ホース収納部１５は、本体３の内壁上面から内壁下面に至る２本の棒状体２１と、棒状体２１から本体３の内壁背面に至る略Ｌ字状に屈曲した２枚の帯板２３とを備えて構成されている。
そして、２本の棒状体２１の間に中央開口部１７が形成され、ここからホース１３が引き出される。
また、本体３の図中左側には、消火器１０を収納するための消火器収納部１６が設けられている。
【００２０】
前面パネル５は、本体３の前面に設けられ、中央開口部１７の前方に位置する部位が開口しており、この開口部５ａを開閉可能に前傾式扉７が取り付けられ、また前面パネル５の左側には消火器扉８が開閉可能に設けられている。
【００２１】
前傾式扉７は板状の金属板から構成された横長の矩形状をしており、上述のように前面パネル５の開口部５ａを開閉可能に取り付けられている。
前傾式扉７は、下辺両端に回動軸（蝶番３０）が設けられ、開口部５ａを閉鎖状態から、図３に示すように、略１８０°開くことができる。
前傾式扉７の背面側には、消火ノズル２５を着脱可能に保持するノズルホルダ２７及び、ホース１３に消火水を供給する消火水供給管路に設けられた消火栓弁（図示なし）を開閉操作する操作レバー２９（消火栓弁操作部）が設けられている。
なお、前傾式扉７におけるノズルホルダ２７に対応する箇所は透明なアクリル板が設置されており、前傾式扉７の背面側においてノズルホルダ２７に着脱可能に保持されている消火ノズル２５が見える。
消火ノズル２５は、基端側がホース１３と接続され、先端側から消火水を放出する。消火ノズル２５は、これを把持し易くするためのハンドル２５ａを備えており、後述するノズルホルダ２７から消火ノズル２５を取り外す際にも、ハンドル２５ａを把持することで消火ノズル２５を取り出しやすくなっている。
【００２２】
次にノズルホルダ２７の詳細を説明する。
ノズルホルダ２７は、ホース１３の収納時において、ホース１３の先端に設けられた消火ノズル２５を保持するものであり、全体の形状がＣ形状を有する一対の保持片３１によって形成されている。一対の保持片３１は、図２、図３に示すように、所定間隔を離して前傾式扉７の背面側に固定されている。
【００２３】
各保持片３１は、図１に示すように、合成樹脂製の平板を全体の形状がＣ形状になるように加工して形成されたものであり、保持片３１を前傾式扉７に固定するためのボルト孔３３が形成された基部３５と、基部３５から一方向に延出する湾曲した長爪部３６ａと、基部３５から他方向に延出する湾曲した短爪部３６ｂとを有し、長爪部３６ａ、短爪部３６ｂ及び基部３５によって囲まれた部位がノズル収容穴３７となっている。また、長爪部３６ａと短爪部３６ｂの先端部には隙間が形成されており、この隙間がノズル収容穴３７に向かった消火ノズル２５を通過させるための切欠き部３９となっている。
さらに、ノズル収容穴３７の穴縁３７ａにノズル収容穴３７の内方側に出っ張るように形成されて収容された消火ノズル２５の回転を防止する回転防止部４１とを備えている。
【００２４】
なお、本実施の形態の回転防止部４１は、図１に示すように、湾曲する穴縁３７ａの２点を結ぶように形成された直線部を備えた壁部によって構成されている。
【００２５】
上記のように構成されたノズルホルダ２７においては、保持片３１は切欠き部３９が上向きになるように固定され、切欠き部３９から消火ノズル２５をノズル収容穴３７に向けて押し込むことで、長爪部３６ａ及び短爪部３６ｂが変形して消火ノズル２５がノズル収容穴３７に保持される。
ノズル収容穴３７に消火ノズル２５を保持した状態では、回転防止部４１が消火ノズル２５を押圧することで消火ノズル２５の回転が防止される。
したがって、前傾式扉７を閉止した状態では、図２に示すように、消火ノズル２５に記載した「ノズル」の文字が常に視認できる状態になっている。また、この状態では、消火ノズル２５のハンドル２５ａは下向きの状態となっている。
【００２６】
また、前傾式扉７を開ける際にも、消火ノズル２５が図２の状態を維持するため、前傾式扉７を開放した状態では、図３に示すように、ハンドル２５ａが上向きの状態となる。このため、消火活動をする際に、ハンドル２５ａを把持して消火ノズル２５をノズルホルダ２７から取り外し易くなっている。
【００２７】
以上のように、本実施の形態のノズルホルダ２７は、ノズル収容穴３７に回転防止部４１を設けたことにより、経年変化による消火ノズル２５の回転や、前傾式扉７の開閉動作の際にも消火ノズル２５が回転することがない。このため、前傾式扉７を閉止した状態では、消火ノズル２５に記載された「ノズル」の文字を常に視認することができ、消火活動の際に前傾式扉７を開放してもハンドル２５ａの向きが適切な向き（上向き）を維持するため、ハンドル２５ａを把持して消火ノズル２５を取り外し易く、消火活動を円滑に行うことができる。
【００２８】
また、回転防止部４１は、ノズル収容穴３７の内方側に出っ張るように形成されたものであり、ノズル収容穴３７の形状の精度が多少劣ったものであっても、消火ノズル２５の回転を確実に防止できるので、換言すればノズル収容穴３７の精度が要求されないようにすることができるという効果も有する。
【００２９】
なお、上記の実施の形態では、回転防止部４１の一例として、湾曲する穴縁３７ａの２点を結ぶように形成された直線部を備えた壁部を例示したが、このような構成であれば製作が容易である。
もっとも、回転防止部４１の態様は上記のような壁部に限られるものではなく、ノズル収容穴３７の内方側に出っ張るように形成されて収容された消火ノズル２５の回転を防止できるものであれば他の態様も含む。例えば、連続する突起のようなものでもよく、摩擦係数の高い素材をノズル収容穴３７の一部に貼り付けるような態様でもよい。
【００３０】
また、上記の例では、所定間隔を離して設けた一対の保持片３１を例示したが、保持片３１は必ずしも一対である必要はなく、１枚や３枚以上であってもよく、あるいは前傾式扉７に固定する固定部のみ一体化され、消火ノズル２５を保持する部位が２枚になっているような態様でもよい。
なお、保持片３１を１枚で構成する場合の例として、保持片３１を、切欠き部３９の向きが横向きになるように消火栓装置１内に取り付け、消火ノズル２５をその先端側が上方を向くように保持する場合がある。
【００３１】
さらに、上記の実施の形態では、前傾式扉７にノズルホルダ２７を設ける場合について記載したが、これに限定せず、本体３内にノズルホルダ２７を設ける構成としてもよい。例えば、ホース収納部１５の側面にノズルホルダ２７を１個、消火ノズル２５の先端側が上方を向くように設けてもよい。この場合、消火ノズル２５を把持し易くするために、消火ノズル２５のハンドル２５ａを前面側か側面側に向けてノズルホルダ２７に保持させることで使用時にノズル２５を取り出しやすい。このような設置方法では、ノズルホルダに回転防止部４１がないと、振動により消火ノズル２５が回転してハンドル２５ａが背面側に向いてしまうと、ハンドル２５ａを把持しにくくなる。このような場合にも回転防止部４１を備えたノズルホルダ２７を用いることで、ハンドル２５が回転せずに適切な向きを維持するため、消火活動を行う際に、ハンドル２５ａを把持してノズル２５を取り外しやすく、速やかに行うことが出来る。
【符号の説明】
【００３２】
１  消火栓装置
３  本体
５  前面パネル
５ａ  開口部
７  前傾式扉
８  消火器扉
１０  消火器
１３  ホース
１５  ホース収納部
１６  消火器収納部
１７  中央開口部
１９  配管系統
２１  棒状体
２３  帯板
２５  消火ノズル
２５ａ  ハンドル
２７  ノズルホルダ
２９  操作レバー
３０  蝶番
３１  保持片
３３  ボルト孔
３５  基部
３６ａ  長爪部
３６ｂ  短爪部
３７  ノズル収容穴
３７ａ  穴縁
３９  切欠き部
４１  回転防止部
【図１】
0003201334.tif 000003
【図２】
0003201334.tif 000004
【図３】
0003201334.tif 000005